(57)【要約】【課題】処理オーバーヘッドを抑制しつつ、無線帯域を有効に利用できるパケット送信装置及びパケット送信方法を提供すること。【解決手段】パケット送信装置１００は、伝送路判断部１１０が無線チャネル品質推定結果を基に伝送路状況を判断し、適応型スケジューラ部１０８は、伝送路状況が劣悪であると判断された場合には、低ＱｏＳパケットを優先的に送信フレーム構成要素に含め、伝送路状況が良好であると判断された場合には高ＱｏＳパケットを優先的に送信フレーム構成要素に含める。すなわち、適応型スケジューラ部１０８は、無線エラー発生可能性が高く伝送路状況が劣悪であると判断した場合には低ＱｏＳパケットを優先的に割り当てる。【選択図】図１
2010011063.tif 000002
【特許請求の範囲】
【請求項１】
サービス品質（ＱｏＳ）と関連付けられた送信パケットを蓄積する送信バッファ手段と、
復調・復号化処理により無線チャネル品質を推定するベースバンド処理手段と、
前記ベースバンド処理手段からの無線チャネル品質推定結果を基に伝送路状況を判断する伝送路判断手段と、
前記伝送路判断手段からの伝送路状況に基づき複数のスケジューリング方法から１つを選択するとともに、選択したスケジューリング方法を基に前記送信バッファ手段に蓄積された送信パケットの送信フレーム構成要素を決定する適応型スケジューラ手段と、
前記適応型スケジューラ手段で決定された送信フレーム構成要素を基にフレームフォーマットに準じた無線フレームを組み立てるフレーム組立手段と、
前記フレーム組立手段からの送信無線フレームもしくは再送要求時には再送バッファからの再送無線フレームを前記ベースバンド処理手段に送出し対向受信機からの送達確認が取れるまで前記再送バッファに保持する再送制御手段とを備え、
前記適応型スケジューラ手段は、前記伝送路判断手段により伝送路状況が劣悪であると判断された場合には、低ＱｏＳパケットを優先的に送信フレーム構成要素に含め、伝送路状況が良好であると判断された場合には高ＱｏＳパケットを優先的に送信フレーム構成要素に含めることを特徴とするパケット送信装置。
【請求項２】
前記伝送路判断手段は、前記ベースバンド処理手段からの無線チャネル品質推定結果のうち受信ビットエラーレイト推定値を入力として、予め設定された閾値と比較する比較器から構成され、ビットエラーレイト推定値が閾値より大きい場合には伝送路状況が劣悪であることを出力することを特徴とする請求項１記載のパケット送信装置。
【請求項３】
前記伝送路判断手段は、前記ベースバンド処理手段からの無線チャネル品質推定結果のうち周波数エラー推定値と受信パワーレベル推定値を入力として、所定周波数エラー推定値範囲毎に予め設定された閾値と比較する比較器から構成され、周波数エラー推定値から閾値を選択し、受信パワーレベル推定値が選択された閾値より小さい場合には伝送路状況が劣悪であることを出力することを特徴とする請求項１記載のパケット送信装置。
【請求項４】
前記伝送路判断手段は、前記ベースバンド処理手段からの無線チャネル品質推定結果のうち受信ビットエラーレイト推定値と前記再送制御手段からの再送回数を入力として、予め再送回数別に設定された閾値と比較する比較器から構成され、前記再送回数に応じて閾値を選択し、前記受信ビットエラーレイト推定値が選択された閾値より大きい場合には伝送路状況が劣悪であることを出力することを特徴とする請求項１記載のパケット送信装置。
【請求項５】
前記伝送路判断手段は、前記ベースバンド処理手段からの無線チャネル品質推定結果のうち周波数エラー推定値と受信パワーレベル推定値と前記再送制御手段からの再送回数を入力として、ある周波数エラー推定値範囲毎かつ再送回数別に予め設定された閾値と比較する比較器から構成され、周波数エラー推定値と再送回数から閾値を選択し、受信パワーレベル推定値が選択された閾値より小さい場合には伝送路状況が劣悪であることを出力することを特徴とする請求項１記載のパケット送信装置。
【請求項６】
前記適応型スケジューリング手段は、高ＱｏＳサービスに関連付けられた送信パケットの格納されている送信バッファから優先的にスケジューリングする高ＱｏＳサービス優先スケジューリング手段と、
低ＱｏＳサービスに関連付けられた送信パケットの格納されている送信バッファから優先的にスケジューリングする低ＱｏＳサービス優先スケジューリング手段と、
伝送路状況に基づいて前記高ＱｏＳサービス優先スケジューリング手段の出力と前記低ＱｏＳサービス優先スケジューリング手段の出力を選択する適応手段とから構成され、
伝送路状況が劣悪である場合には、前記低ＱｏＳサービス優先スケジューリング手段の出力を選択することを特徴とする請求項１記載のパケット送信装置。
【請求項７】
前記適応型スケジューリング手段は、高ＱｏＳサービスに関連付けられた送信パケットの格納されている送信バッファから優先的にスケジューリングする高ＱｏＳサービス優先スケジューリング手段と、
送信パケットが退避される連続送信バッファ手段と、
前記連続送信バッファ手段に格納された送信パケットから優先的にスケジューリングし、予め設定された高ＱｏＳサービスに関連付けられた送信パケットのうち初回送信パケットを連続送信バッファ手段に退避させる連続送信パケット優先スケジューリング手段と、
伝送路状況が劣悪であると判断された時点で前記連続送信パケット優先スケジューリング手段の出力に切り替え、前記連続送信バッファ手段に退避中の送信パケットに対する送達確認が取れた時点で高ＱｏＳサービス優先スケジューリングに切り替える適応手段とから構成され、
伝送路状況が劣悪である場合には、前記連続送信パケット優先スケジューリング手段の出力を選択することを特徴とする請求項１記載のパケット送信装置。
【請求項８】
サービス品質（ＱｏＳ）と関連付けられた送信パケットを蓄積するステップと、
復調・復号化処理により無線チャネル品質を推定するステップと、
前記無線チャネル品質推定結果を基に伝送路状況を判断するステップと、
前記伝送路状況に基づき複数のスケジューリング方法から１つを選択するとともに、選択したスケジューリング方法を基に蓄積された送信パケットの送信フレーム構成要素を決定するステップと、
前記決定された送信フレーム構成要素を基にフレームフォーマットに準じた無線フレームを組み立てるステップと、
前記送信無線フレームもしくは再送要求時には再送バッファからの再送無線フレームを送出し対向受信機からの送達確認が取れるまで前記再送バッファに保持するステップとを有し、
前記適応型スケジューラステップでは、前記伝送路状況が劣悪であると判断された場合には、低ＱｏＳパケットを優先的に送信フレーム構成要素に含め、伝送路状況が良好であると判断された場合には高ＱｏＳパケットを優先的に送信フレーム構成要素に含めることを特徴とするパケット送信方法。
【発明の詳細な説明】
【技術分野】
【０００１】
本発明は、パケット通信を可能とするディジタル移動体通信のパケット送信装置及びパケット送信方法に関する。
【背景技術】
【０００２】
従来、無線通信システムの分野において、個別チャネル（ＤＰＣＨ：Dedicated Physical Channel）を用いて通信端末装置に伝送を行う通信方式以外に、高速大容量な下りチャネルを複数の通信端末装置が共有し、下り回線で高速パケット伝送を行うＨＳＤＰＡと呼ばれる通信方式が規格化されている。
【０００３】
無線通信は、伝搬状況がきわめて不安定であり、通信路容量は、時々刻々と大幅に変動する。ＨＳＤＰＡ（High Speed Downlink Packet Access）は、これを利用し、通信状況が良好なときに多値変調・低符号化率を用いて高速伝送を行うことで、ピークのスループット（Throughput）を向上させる技術である。
【０００４】
このようなＨＳＤＰＡシステムにおいて、基地局装置はＣＱＩ（Channel Quality Indicator：適応変調要求）と呼ばれる通信端末装置において復調可能なパケットデータの変調方式及び符号化率を示す信号を通信端末装置から送信してもらう。ＣＱＩを受信した基地局装置は、各通信端末装置から送られてきたＣＱＩを用いてスケジューリングを行うと共に最適な変調方式及び符号化率等を選択する。そして、基地局装置は、選択した変調方式及び符号化率等を用いて送信データを変調及び符号化し、スケジューリング結果に基づいて各通信端末装置へデータを送信するものである。これにより、電波伝搬環境に応じて伝送レートを適応的に変えるため、ＨＳＤＰＡはＤＰＣＨと比較して、大容量のデータを基地局装置から通信端末装置へ送信することができる。
【０００５】
また、このＨＳＤＰＡシステムにおいて、通信端末装置は、ＨＳ−ＤＰＣＣＨ（Dedicated Physical Control Channel(uplink) for HS-DSCH）に、ＨＳ−ＰＤＳＣＨ（High Speed Physical Downlink Shared Channel）と呼ばれる下りパケットを受信できたか否かを示すＡＣＫ／ＮＡＣＫ信号やＣＱＩ信号を乗せて送信する。この方法では、ＨＳ−ＤＰＣＣＨはＤＰＣＣＨ（Dedicated Physical Control Channel）やＤＰＤＣＨ（Dedicated Physical Data Channel）とコード多重して送信される。
【０００６】
パケット通信を可能とするディジタル移動体通信の送信機では、無線回線で起こり得るフェージング、移動機の移動により起こり得るドップラー周波数要因の周波数エラー、基地局と遠ざかることにより起こり得る受信感度低下等々の無線エラーが発生する。これらの無線エラーにより、送信機で送信した無線フレームを受信機で正しく復号できず、無線フレームに含まれるパケットを取得できない場合が起こり得る。
【０００７】
ＨＡＲＱ（Hybrid ARQ）技術は、前記のような正しく復号できない無線フレームを検出した場合、送信機側に再送要求を行うと伴に復号できなかった無線フレームを受信機側で保持しておき、その後送信機側から再送された無線フレームを受信すると保持しておいた前回受信分の無線フレームと再送フレームを合成し冗長ビットを補強することにより無線フレームを復号する再送方式である。ディジタル移動体通信分野では、高速パケット通信可能なディジタル携帯電話規格で採用されており、日本国内を中心とするＨＳＰＡ規格準拠の携帯電話や欧州を中心とするＥＤＧＥ規格準拠の携帯電話等にも搭載されるようになってきた。規格標準化が進められている次世代高速パケット通信規格３Ｇ−ＬＴＥ（Long Term Evolution）規格でも採用される予定である。
【０００８】
前記のＨＡＲＱ技術は高速パケット通信を実現する上での必須技術である。無線エラーによる無線フレーム復号失敗が発生すると、受信機から送信機へ再送要求を行うための送信処理、再送要求を受けての再送フレーム構築処理、送信機からの再送のための再送処理、再送フレームを受けての受信処理といった一連の追加処理を行うことが必要となるため、膨大な処理時間が要求されるという問題がある。
【０００９】
前記処理時間問題に対しては、移動機の移動速度に応じて送信タイミングを調整し、移動速度が遅い場合は無線チャネル状況に応じて非同期に送信することで処理時間がかかる再送発生頻度を抑制することが提案されている（例えば、特許文献１参照）。しかし、無線チャネル状況が悪い場合は無線帯域を無駄にすることになるとともに、非同期送信による同期化処理オーバーヘッドが大きくなるということが想定される。
【００１０】
図１１は、従来のパケット送信装置の構成を示すブロック図である。
【００１１】
図１１において、パケット送信装置１０は、ＲＦ処理部１１、ベースバンド処理部１２、再送制御部１３、再送バッファ部１４、フレーム解析部１５、受信バッファ部１６−１〜１６−Ｎ、フレーム組立部１７、スケジューラ部１８、及び送信バッファ部１９−１〜１９−Ｎから構成される。
【００１２】
ＲＦ処理部１１は、ディジタル信号から構成される無線フレームをアナログ信号に変換し無線アンテナ１１ａから無線に送出する。また、ＲＦ処理部１１は、無線からのアナログ信号をディジタル信号から構成される無線フレームに変換する。
【００１３】
ベースバンド処理部１２は、ＲＦ処理部１１により無線フレームに変換された受信信号を復調・復号化処理し、復調・復号化処理により得られた対向受信装置からの送信パケット送達確認信号や受信パケットを再送制御部１３に出力する。また、ベースバンド処理部１２は、再送制御部１３から出力された送信無線フレームを符号化・変調処理し、ＲＦ処理部１１を介して無線に送信する。
【００１４】
再送制御部１３は、フレーム組立部１７からの送信無線フレームもしくは再送要求時には再送バッファ部１４からの再送無線フレームを送信契機に合わせベースバンド処理部１０２に送出し対向受信機からの送達確認が取れるまで再送バッファ部１４に保持する。
【００１５】
フレーム解析部１５は、受信パケットが格納された無線フレームのプロトコルヘッダ情報を解析し受信パケット位置やそのパケットの論理チャネル情報を特定する。
【００１６】
受信バッファ部１６−１〜１６−Ｎは、フレーム解析部１５で特定された受信パケットを論理チャネル情報と関連付けして蓄積する。
【００１７】
フレーム組立部１７は、前記スケジューラ部で決定された送信フレーム構成要素を基にフレームフォーマットに準じた無線フレームを組み立てる。
【００１８】
スケジューラ部１８は、スケジューリング方法に基づき前記送信バッファ部から送信フレーム構成要素を決定する。
【００１９】
送信バッファ部１９−１〜１９−Ｎはサービス品質（ＱｏＳ）と関連付けられた送信パケットを蓄積する。
【００２０】
図１２は、上記パケット送信装置１０適用時のパケット送信遅延時間を説明する図である。図１２中、横軸の番号は、送信元送信機が送信する無線フレームと受信元受信機が受信する無線フレームを示す。
【００２１】
図１２において、図１１の構成の送信元送信機（パケット送信装置１０）からパケットを送信している。
【００２２】
図１２ａ．に示すように、５番目の無線フレームが無線エラーを起こした場合、対向となる受信元受信機側で無線エラーを起こったことを検出する（図１２ｂ．参照）。受信元受信機は、その検出結果を受信元送信機に通知し（図１２ｃ．参照）、受信元送信機はＮＡＣＫ情報を生成し送信する（図１２ｄ．参照）。
【００２３】
送信元受信機は、ＮＡＣＫ情報を検出し（図１２ｅ．参照）、その検出結果を送信元送信機に通知する（図１２ｆ．参照）。これを受けて送信元受信機は、無線エラーを起こした５番目の無線フレームを再送する（図１２ｇ．参照）。
【００２４】
受信元送信機は、上記プロセスで送達不能であったことを認識する。このプロセスでは、送信元送信機から受信元受信機に無線フレームを送信する無線伝送遅延（図１２ｈ．参照）と、受信元受信機で無線フレームを受信し復調・復号処理を行い誤り検出結果を受信元送信機に通知・ＮＡＣＫ情報生成・符号化・変調処理を行うための受信元内処理遅延（図１２ｉ．参照）とがある。さらに、受信元送信機から送信元受信機にＮＡＣＫ情報を含んだ無線フレームを送信する伝送遅延（図１２ｊ．参照）と、送信元受信機で無線フレームを受信し復調・復号処理を行いＮＡＣＫ情報を検出し送信元送信機に通知する送信元内処理遅延（図１２ｋ．参照）とがある。これらがトータル処理遅延となり、これに加え受信元側と同期の取れたタイミングでの送信を行う場合には同期タイミングを待つ待ち時間も加算される（図１２ｌ．参照）。
【特許文献１】特開２００７−３１８７６４号公報
【発明の開示】
【発明が解決しようとする課題】
【００２５】
しかしながら、このような従来のパケット送信装置にあっては、無線チャネル状況が悪い場合は無線帯域を無駄にすることになるとともに、非同期送信による同期化処理オーバーヘッドが大きくなるということが想定される。
【００２６】
また、ＶｏＩＰ音声通話を代表とする低遅延要求のサービスとＦＴＰダウンロードを代表とする高伝送レイト要求のサービスを同時に処理する移動体端末を想定した場合、劣悪な無線伝送路状況における再送発生時の品質保証、つまり高伝送レイトと低遅延の両立が課題となる。
【００２７】
本発明は、かかる点に鑑みてなされたものであり、処理オーバーヘッドを抑制しつつ、無線帯域を有効に利用できるパケット送信装置及びパケット送信方法を提供することを目的とする。
【課題を解決するための手段】
【００２８】
本発明のパケット送信装置は、サービス品質（ＱｏＳ）と関連付けられた送信パケットを蓄積する送信バッファ手段と、復調・復号化処理により無線チャネル品質を推定するベースバンド処理手段と、前記ベースバンド処理手段からの無線チャネル品質推定結果を基に伝送路状況を判断する伝送路判断手段と、前記伝送路判断手段からの伝送路状況に基づき複数のスケジューリング方法から１つを選択するとともに、選択したスケジューリング方法を基に前記送信バッファ手段に蓄積された送信パケットの送信フレーム構成要素を決定する適応型スケジューラ手段と、前記適応型スケジューラ手段で決定された送信フレーム構成要素を基にフレームフォーマットに準じた無線フレームを組み立てるフレーム組立手段と、前記フレーム組立手段からの送信無線フレームもしくは再送要求時には再送バッファからの再送無線フレームを前記ベースバンド処理手段に送出し対向受信機からの送達確認が取れるまで前記再送バッファに保持する再送制御手段とを備え、前記適応型スケジューラ手段は、前記伝送路判断手段により伝送路状況が劣悪であると判断された場合には、低ＱｏＳパケットを優先的に送信フレーム構成要素に含め、伝送路状況が良好であると判断された場合には高ＱｏＳパケットを優先的に送信フレーム構成要素に含める構成を採る。
【００２９】
本発明のパケット送信方法は、サービス品質（ＱｏＳ）と関連付けられた送信パケットを蓄積するステップと、復調・復号化処理により無線チャネル品質を推定するステップと、前記無線チャネル品質推定結果を基に伝送路状況を判断するステップと、前記伝送路状況に基づき複数のスケジューリング方法から１つを選択するとともに、選択したスケジューリング方法を基に蓄積された送信パケットの送信フレーム構成要素を決定するステップと、前記決定された送信フレーム構成要素を基にフレームフォーマットに準じた無線フレームを組み立てるステップと、前記送信無線フレームもしくは再送要求時には再送バッファからの再送無線フレームを送出し対向受信機からの送達確認が取れるまで前記再送バッファに保持するステップとを有し、前記適応型スケジューラステップでは、前記伝送路状況が劣悪であると判断された場合には、低ＱｏＳパケットを優先的に送信フレーム構成要素に含め、伝送路状況が良好であると判断された場合には高ＱｏＳパケットを優先的に送信フレーム構成要素に含める。
【発明の効果】
【００３０】
本発明によれば、伝送路状況が劣悪であると判断された場合には低ＱｏＳパケットを優先的に送信フレーム構成要素に含め、伝送路状況が良好であると判断された場合には高ＱｏＳパケットを優先的に送信フレーム構成要素に含めることにより、無線エラーによる高ＱｏＳパケットの到達遅延時間増大・通信品質劣化を未然に抑制することができ、かつ、低ＱｏＳパケットの伝送レイトを保持できるパケット送信装置を実現することができる。
【発明を実施するための最良の形態】
【００３１】
以下、本発明の実施の形態について、図面を参照して詳細に説明する。
【００３２】
（実施の形態１）
図１は、本発明の実施の形態１に係るパケット送信装置の構成を示すブロック図である。本実施の形態は、パケット送信装置がディジタル移動体通信装置である場合の例である。
【００３３】
図１において、パケット送信装置１００は、ＲＦ処理部１０１、ベースバンド処理部１０２（図１ではＰＨＹと略記する）、再送制御部１０３（図１ではＨＡＲＱと略記する）、再送バッファ部１０４、フレーム解析部１０５、受信バッファ部１０６−１〜１０６−Ｎ、フレーム組立部１０７、適応型スケジューラ部１０８、送信バッファ部１０９−１〜１０９−Ｎ、及び伝送路判断部１１０を備えて構成される。
【００３４】
ＲＦ処理部１０１は、ディジタル信号から構成される無線フレームをアナログ信号に変換し無線アンテナ１０１ａから無線に送出する。また、ＲＦ処理部１０１は、無線からのアナログ信号をディジタル信号から構成される無線フレームに変換する。
【００３５】
ベースバンド処理部１０２は、ＲＦ処理部１０１により無線フレームに変換された受信信号を復調・復号化処理し、復調・復号化処理により得られた対向受信装置からの送信パケット送達確認信号や受信パケットを再送制御部１０３に出力する。また、ベースバンド処理部１０２は、再送制御部１０３から出力された送信無線フレームを符号化・変調処理し、ＲＦ処理部１０１を介して無線で送信する。さらに、ベースバンド処理部１０２は、復調・復号化処理により無線チャネル品質を推定し、無線チャネル品質推定結果を伝送路判断部１１０に出力する。
【００３６】
再送制御部１０３は、フレーム組立部１０７からの送信無線フレームもしくは再送要求時には再送バッファ部１０４からの再送無線フレームを送信契機に合わせベースバンド処理部１０２に送出し対向受信機からの送達確認が取れるまで再送バッファ部１０４に保持する。再送制御部１０３はまた、無線チャネル品質推定結果を伝送路判断部１１０に出力する。
【００３７】
フレーム解析部１０５は、受信パケットが格納された無線フレームのプロトコルヘッダ情報を解析し受信パケット位置やそのパケットの論理チャネル情報を特定する。フレーム解析部１０５は、再送制御部１０３から無線エラーなしの無線フレームを受け取り、フレーム内の情報（例えばチャネルＩＤ）に基づき格納バッファを振り分けて受信バッファ部１０６−１〜１０６−Ｎに格納する。
【００３８】
受信バッファ部１０６−１〜１０６−Ｎは、フレーム解析部１０５で特定された受信パケットを論理チャネル情報と関連付けして蓄積する。
【００３９】
フレーム組立部１０７は、適応型スケジューラ部１０８で決定された送信フレーム構成要素を基にフレームフォーマットに準じた無線フレームを組み立てる。
【００４０】
適応型スケジューラ部１０８は、伝送路判断部１１０からの伝送路状況に基づき複数のスケジューリング方法から１つを選択するとともに、選択したスケジューリング方法を基に送信バッファ部１０９−１〜１０９−Ｎに蓄積された送信パケットの送信フレーム構成要素を決定する。この送信フレーム構成要素は、パケットもしくはパケットの一部である。送信バッファ部１０９−１〜１０９−Ｎには、パケットが格納されているのでパケット自体が送信フレーム構成要素になる。具体的には、適応型スケジューラ部１０８は、伝送路判断部１１０により伝送路状況が劣悪であると判断された場合には、低ＱｏＳパケットを優先的に送信フレーム構成要素に含め、伝送路状況が良好であると判断された場合には高ＱｏＳパケットを優先的に送信フレーム構成要素に含める。適応型スケジューラ部１０８の回路構成の詳細については、図６及び図７により後述する。
【００４１】
送信バッファ部１０９−１〜１０９−Ｎは、サービス品質（ＱｏＳ）と関連付けられた送信パケットを蓄積する。
【００４２】
伝送路判断部１１０は、ベースバンド処理部１０２からの無線チャネル品質推定結果と再送制御部１０３からの再送無線フレーム情報を基に伝送路状況を判断する。伝送路判断部１１０の回路構成の詳細については、以下図２乃至図５により述べる。
【００４３】
図２は、上記伝送路判断部１１０の簡易版の回路構成を示す図である。簡易版の伝送路判断部２００は、図１の伝送路判断部１１０の簡易版として用いられる。
【００４４】
図２において、簡易版の伝送路判断部２００は、比較器２０１により構成される。
【００４５】
比較器２０１は、ベースバンド処理部１０２（図１）からの無線チャネル品質推定結果のうち受信ビットエラーレイト推定値２０２と予め設定された閾値とを比較する。
【００４６】
簡易版の伝送路判断部２００は、ビットエラーレイト推定値が上記閾値より大きい場合には伝送路状況が劣悪であることを出力する。
【００４７】
この簡易版の伝送路判断部２００によれば、比較的処理量が少なく伝送路状況の良悪を判断することができる。
【００４８】
図３は、上記伝送路判断部１１０の高精度版の回路構成を示す図である。高精度版の伝送路判断部３００は、図１の伝送路判断部１１０の高精度版として用いられる。
【００４９】
図３において、高精度版の伝送路判断部３００は、比較器３０１と、選択器３０２とから構成される。比較器３０１の入力端子ａには、ベースバンド処理部１０２（図１）からの無線チャネル品質推定結果のうち受信パワーレベル推定値３０３が入力される。また、比較器３０１の入力端子ｂには、選択器３０２により選択された閾値が入力される。
【００５０】
選択器３０２は、入力された周波数エラー推定値３０４に基づいて、ある周波数エラー推定値範囲毎に予め設定された閾値１，２，…，Ｎから適切な閾値を選択する。
【００５１】
比較器３０１は、受信パワーレベル推定値３０３と選択器３０２により選択された閾値とを比較する。
【００５２】
このように、高精度版の伝送路判断部３００は、選択器３０２が、周波数エラー推定値３０４から閾値を選択し、比較器３０１は、受信パワーレベル推定値３０３が選択された閾値より小さい場合には、伝送路状況が劣悪であることを出力する。
【００５３】
この高精度版の伝送路判断部３００によれば、図２の簡易版の伝送路判断部２００より高精度に伝送路状況の良悪を判断することができる。
【００５４】
例えば、移動機の静止時、移動時、高速移動時では受信感度は変わってくる。移動機の移動速度によるドップラー周波数に起因する周波数エラーを、上記周波数エラー推定値３０４として用いて受信パワーレベル閾値を変更する。これにより、より高精度に伝送路状況の良悪を判断することができる。
【００５５】
図４は、上記伝送路判断部１１０の簡易版及び再送回数制御付の回路構成を示す図である。簡易版及び再送回数制御付の伝送路判断部４００は、図１の伝送路判断部１１０の再送回数制御付簡易版として用いられる。
【００５６】
図４において、簡易版及び再送回数制御付の伝送路判断部４００は、比較器４０１と、選択器４０２とから構成される。比較器４０１の入力端子ａには、ベースバンド処理部１０２（図１）からの無線チャネル品質推定結果のうちビットエラーレイト推定値４０３が入力される。また、比較器４０１の入力端子ｂには、選択器４０２により選択された閾値が入力される。
【００５７】
選択器４０２は、再送制御部１０３（図１）からの再送回数４０４に基づいて、予め再送回数別に設定された閾値１，２，…，Ｎから適切な閾値を選択する。
【００５８】
比較器４０１は、ビットエラーレイト推定値４０３と選択器４０２により選択された閾値とを比較する。
【００５９】
このように、簡易版及び再送回数制御付の伝送路判断部４００は、選択器４０２が、再送回数４０４に応じて閾値を選択し、比較器４０１は、ビットエラーレイト推定値４０３が選択された閾値より大きい場合には、伝送路状況が劣悪であることを出力する。
【００６０】
ＨＡＲＱ技術では、再送データは対向の受信機側で蓄積されている前回までの送信データと合成し冗長性を強化して復号することで符号化利得を最大限引き出すことができる技術であり、再送時には冗長性が強化されるため無線エラー耐性が強くなる。このことより、再送時は初回送信時より劣悪な状況でも送達可能であり、再送回数４０４に応じて閾値が大きくなるように閾値を設定することにより、図２の簡易版の伝送路判断部２００より更に到達遅延時間を抑制できる。
【００６１】
図５は、上記伝送路判断部１１０の高精度版及び再送回数制御付の回路構成を示す図である。高精度版及び再送回数制御付の伝送路判断部５００は、図１の伝送路判断部１１０の再送回数制御付高精度版として用いられる。高精度版及び再送回数制御付の伝送路判断部５００は、図３の高精度版の伝送路判断部３００と図４の簡易版及び再送回数制御付の伝送路判断部４００とを組合わせた構成である。
【００６２】
図５において、高精度版及び再送回数制御付の伝送路判断部５００は、比較器５０１と、選択器５０２と、再送回数制御選択器５０３を備えて構成される。比較器５０１の入力端子ａには、ベースバンド処理部１０２（図１）からの無線チャネル品質推定結果のうち受信パワーレベル推定値５０４が入力される。また、比較器５０１の入力端子ｂには、選択器５０２により選択された閾値が入力される。
【００６３】
再送回数制御選択器５０３は、閾値１−１，１−２，…，１−Ｍから適切な閾値を選択する選択器５１１と、閾値２−１，２−２，…，２−Ｍから適切な閾値を選択する選択器５１２と、閾値Ｎ−１，Ｎ−２，…，Ｎ−Ｍから適切な閾値を選択する選択器５１３とから構成される。
【００６４】
再送回数制御選択器５０３は、再送制御部１０３（図１）からの再送回数５０６に基づいて、再送回数別に予め設定された閾値から適切な閾値をある周波数エラー推定値範囲毎に選択する。
【００６５】
選択器５０２は、入力された周波数エラー推定値５０５に基づいて、再送回数制御選択器５０３により選択された閾値群から適切な閾値を選択する。例えば、選択器５０２は、再送回数制御選択器５０３が、再送回数５０６に基づいて選択器５１１を選択した場合、再送回数制御選択器５０３により選択された選択器５１１の閾値１−１，１−２，…，１−Ｍのうち適切な閾値（例えば閾値１−２）を選択する。
【００６６】
比較器５０１は、受信パワーレベル推定値５０３と選択器５０２により選択された閾値とを比較する。
【００６７】
このように、高精度版及び再送回数制御付の伝送路判断部５００は、再送回数制御選択器５０３が、再送回数５０６に応じて再送回数別に予め設定された閾値から適切な閾値をある周波数エラー推定値範囲毎に選択し、また選択器５０２が、入力された周波数エラー推定値５０５に基づいて、再送回数制御選択器５０３により選択された閾値群から適切な閾値を選択し、さらに比較器５０１は、受信パワーレベル推定値５０３が選択された閾値より小さい場合には伝送路状況が劣悪であることを出力する。
【００６８】
したがって、この高精度版及び再送回数制御付の伝送路判断部５００によれば、図４の簡易版及び再送回数制御付の伝送路判断部４００と同様の効果が期待され、図３の高精度版の伝送路判断部３００より更に到達遅延時間を抑制することができる。
【００６９】
以上、伝送路判断部１１０の回路構成の詳細について説明した。次に、適応型スケジューラ部１０８の回路構成の詳細について説明する。
【００７０】
図６は、上記適応型スケジューラ部１０８の簡易版の回路構成を示す図である。簡易版の適応型スケジューラ部６００は、図１の適応型スケジューラ部１０８の簡易版として用いられる。
【００７１】
図６において、簡易版の適応型スケジューラ部６００は、スケジューラ適応器６０１と、高ＱｏＳパケット優先スケジューラ部６０２と、低ＱｏＳパケット優先スケジューラ部６０３とから構成される。また、スケジューラ適応器６０１には、伝送路状況信号６０４が入力される。
【００７２】
スケジューラ適応器６０１は、伝送路状況信号６０４に基づいて、高ＱｏＳパケット優先スケジューラ部６０２の出力と低ＱｏＳパケット優先スケジューラ部６０３の出力を選択する。
【００７３】
高ＱｏＳパケット優先スケジューラ部６０２は、高ＱｏＳサービスに関連付けられた送信パケットの格納されている送信バッファ部１０９−１〜１０９−Ｎ（図１）から優先的にスケジューリングする。
【００７４】
低ＱｏＳパケット優先スケジューラ部６０３は、低ＱｏＳサービスに関連付けられた送信パケットの格納されている送信バッファ部１０９−１〜１０９−Ｎ（図１）から優先的にスケジューリングする。
【００７５】
この簡易版の適応型スケジューラ部６００によれば、伝送路状況が劣悪である場合には低ＱｏＳパケット優先スケジューラ部６０３の出力を選択することができる。この簡易版の適応型スケジューラ部６００は、比較的処理量が少なく適応的なスケジューリング処理ができる利点がある。
【００７６】
図７は、上記適応型スケジューラ部１０８の重複送信版の回路構成を示す図である。重複送信版の適応型スケジューラ部７００は、図１の適応型スケジューラ部１０８の重複送信版として用いられる。なお、重複送信版の適応型スケジューラ部７００は、後述する実施の形態２特有の回路構成である。説明の都合上ここに記載した。
【００７７】
図７において、重複送信版の適応型スケジューラ部７００は、スケジューラ適応器７０１と、高ＱｏＳパケット優先スケジューラ部７０２と、連続送信パケット優先スケジューラ部７０３とから構成される。また、スケジューラ適応器７０１には、伝送路状況信号７０４及び連続送信バッファ退避パケット送達確認信号７０５が入力される。連続送信パケット優先スケジューラ部７０３は、通信インターフェイス７０６を介して外部に接続される。
【００７８】
スケジューラ適応器７０１は、伝送路状況信号７０４に基づいて、伝送路状況が劣悪であると判断された時点で連続送信パケット優先スケジューラ部７０３の出力に切り替える。また、スケジューラ適応器７０１は、再送制御部１０３（図１）からの連続送信バッファ退避パケット送達確認信号７０５に基づいて、複数送信バッファ８１１（後述する図９参照）に退避中の送信パケットに対する送達確認が取れた時点で高ＱｏＳパケット優先スケジューラ部７０２に切り替える。
【００７９】
高ＱｏＳパケット優先スケジューラ部７０２は、高ＱｏＳサービスに関連付けられた送信パケットの格納されている送信バッファ部１０９−１〜１０９−Ｎ（図１）から優先的にスケジューリングする。
【００８０】
連続送信パケット優先スケジューラ部７０３は、連続送信バッファ（図示略）に格納された送信パケットから優先的にスケジューリングし、予め設定された高ＱｏＳサービスに関連付けられた送信パケットの内初回送信パケットを連続送信バッファ（図示略）に退避させる。
【００８１】
上述したように、スケジューラ適応器７０１は、伝送路状況が劣悪である場合には、連続送信パケット優先スケジューラ部７０３の出力を選択する適応型スケジューリング部である。伝送路判断部１０３（図１）では、伝送路を確度良く判断できるとは限らない。伝送路判断部１０３が伝送路状況は劣悪であると判断した場合でも無線エラーは生じない場合も考えられ、この場合は高ＱｏＳサービスのパケットを遅延させているのみとなる。
【００８２】
この事象を回避するため、伝送路状況が劣悪であると判断された場合でも高ＱｏＳサービスパケットを優先的にスケジューリングする。無線エラーを生じる可能性が高いため送達確認が取れるまでは毎送信契機に同一の高ＱｏＳサービスパケットを重複して送信することにより到達遅延時間を抑制できる。しかし、重複して同一パケットが受信機側に到達する可能性もあるため、受信機側では重複パケット破棄機構が必須となる。これは、一般的なＨＡＲＱ再送制御では用意されている処理であり、送達確認シグナルが無線エラーを起こした場合（受信機側からＡＣＫシグナルを送信したが無線エラーによりＮＡＣＫシグナルと解釈された場合）に意図しない再送が起こる可能性があるためである。
【００８３】
以下、上述のように構成されたパケット送信装置の動作について説明する。
【００８４】
本実施の形態のパケット送信装置１００は、適応型スケジューラ部１０８、及び伝送路判断部１１０を備えることを特徴とする。また、適応型スケジューラ部１０８は、図６の簡易版の適応型スケジューラ部６００、あるいは図７の重複送信版の適応型スケジューラ部７００のいずれかを使用する。伝送路判断部１１０は、図２乃至図５の伝送路判断部のいずれかを使用する。
【００８５】
図１において、ベースバンド処理部１０２は、ディジタルベースバンド信号に変換された受信信号を入力とし無線チャネル品質を推定する。
【００８６】
伝送路判断部１１０は、ベースバンド処理部１０２からの無線チャネル品質推定結果を基に伝送路状況を判断する。
【００８７】
適応型スケジューラ部１０８では、伝送路判断部１１０からの伝送路状況に基づき複数のスケジューリング方法から１つを選択し送信フレーム構成要素を決定する。適応型スケジューラ部１０８は、伝送路状況が劣悪であると判断された場合には、低ＱｏＳパケットを優先的に送信フレーム構成要素に含め、伝送路状況が良好であると判断された場合には高ＱｏＳパケットを優先的に送信フレーム構成要素に含める。
【００８８】
適応型スケジューラ部１０８が、従来のスケジューラ部１８（図１１）と異なる点及び特徴について説明する。
【００８９】
（１）従来例では、スケジューラ部１８（図１１）は、伝送路状況とは非適応でスケジューリングアルゴリズムは一つである。これに対し、適応型スケジューラ部１０８は、伝送路判断部１１０からの伝送路状況に基づき複数のスケジューリング方法から１つを選択し送信フレーム構成要素を決定するものである。
【００９０】
（２）適応型スケジューラ部１０８は、伝送路状況が劣悪であると判断された場合には、低ＱｏＳパケットを優先的に送信フレーム構成要素に含める。具体的には、以下の図８に示すように、伝送路状況が劣悪の場合に送信タイミングを任意に遅延する。ここで、「低ＱｏＳパケットを優先的に送信フレーム構成要素に含める」ことと、「送信タイミングを任意に遅延」することの関係について説明する。本発明は、高ＱｏＳはなるべく無線エラーさせたくないというところと高いスループットを維持したいというところを両立させることを目的とする。低ＱｏＳパケットは、無線エラーが起こったとしてもＨＡＲＱにより後で救えればスループットの犠牲は最小限に抑えられる。また、高ＱｏＳパケットは、任意遅延させてでもエラーを起させないよう制御する。
【００９１】
（３）送信タイミングの遅延は、以下の観点から決定される。すなわち、ドップラー周波数等の伝送路状況とＢＥＲ（Bit Error Rate）とはある程度の相関があり、その伝送路状況がある閾値を超えた（良くなった）場合に送信することになる。つまりうまく送信できるまで待つことになる。また、本発明は、伝送路状況だけでなく送信したいＱｏＳを制御ファクターとすることを前提として、伝送路状況に影響を受けないパケットと受けるパケットがあり、それによりＱｏＳとスループットの両立を図ることを特徴とする。
【００９２】
図８は、上記パケット送信装置１００適用時のパケット送信遅延時間を説明する図である。図８中、横軸の番号は、送信元送信機が送信する無線フレームと受信元受信機が受信する無線フレームを示す。
【００９３】
図８において、図１の構成の送信元送信機（パケット送信装置１００）からパケットを送信している。
【００９４】
図８ａ．に示すように、伝送路判断部１１０が、伝送路状況が劣悪であると判断した場合には、適応型スケジューラ部１０８は、無線エラー発生可能性が高いと判断して低ＱｏＳパケットを優先的に割り当てる。図８の場合は、伝送路判断部１１０が５番目の無線フレームが無線エラーを起こしそうであると判断した場合、適応型スケジューラ部１０８は、５番目の無線フレーム送信を待たせ、５番目の無線フレームを構成するパケットの最高ＱｏＳより低いＱｏＳパケットで構成される６番目の無線フレームを送信し（図８ｂ．参照）、５番目の無線フレームは伝送路状況が良化した次同期送信タイミングで送信する（図８ｃ．参照）。
【００９５】
このプロセスでは、送信元送信機から受信元受信機に無線フレームを送信する無線伝送遅延（図８ｈ．参照）と、伝送路状況が良化するまで待ち時間がトータル遅延時間となり、図１２の従来のパケット送信装置を用いた場合より短縮される。
【００９６】
すなわち、本実施の形態のプロセスでは、図８ａ．に示すように、５番目の無線フレーム送信を遅延させ、５番目の無線フレームを構成するパケットの最高ＱｏＳより低いＱｏＳパケットで構成される６番目の無線フレームを送信し（図８ｂ．参照）、５番目の無線フレームは伝送路状況が良化した次同期送信タイミングで送信する（図８ｃ．参照）。図８ｃ．に示すように、５番目の無線フレームは伝送路状況が良化した６番目の無線フレームの次の、次同期送信タイミングで送信される。
【００９７】
従来例では、図１２ｍ．に示すように、次同期送信タイミングが図１２ｌ．まで先延ばしされるので、その間の送信元送信機から受信元受信機に無線フレームを送信する無線伝送遅延（図１２ｈ．参照）と、受信元受信機で無線フレームを受信し復調・復号処理を行い誤り検出結果を受信元送信機に通知・ＮＡＣＫ情報生成・符号化・変調処理を行うための受信元内処理遅延（図１２ｉ．参照）と、受信元送信機から送信元受信機にＮＡＣＫ情報を含んだ無線フレームを送信する伝送遅延（図１２ｊ．参照）と、送信元受信機で無線フレームを受信し復調・復号処理を行いＮＡＣＫ情報を検出し送信元送信機に通知する送信元内処理遅延（図１２ｋ．参照）がトータル処理遅延となり、これに加え受信元側と同期の取れたタイミングでの送信を行う場合には同期タイミングを待つ待ち時間も加算されていた（図１２ｌ．参照）。これに対し、本実施の形態では、５番目の無線フレームは次同期送信タイミング（図８ｃ．参照）で直ちに送信されるので、上記従来のトータル処理遅延及び待ち時間は、５番目の無線フレームの再送処理に関しては関与しないため、再送処理による高ＱｏＳパケットの到達遅延時間増大を抑制することができる。図８の場合、送信元送信機から受信元受信機に無線フレームを送信する無線伝送遅延と、伝送路状況が良化するまで待ち時間がトータル遅延時間であり、劣悪な無線伝送路状況において送信遅延時間を格段に低減することができる。
【００９８】
以上詳細に説明したように、本実施の形態のパケット送信装置１００は、伝送路判断部１１０が無線チャネル品質推定結果を基に伝送路状況を判断し、適応型スケジューラ部１０８は、伝送路状況が劣悪であると判断された場合には、低ＱｏＳパケットを優先的に送信フレーム構成要素に含め、伝送路状況が良好であると判断された場合には高ＱｏＳパケットを優先的に送信フレーム構成要素に含める。すなわち、適応型スケジューラ部１０８は、無線エラー発生可能性が高く伝送路状況が劣悪であると判断した場合には低ＱｏＳパケットを優先的に割り当てるので、高ＱｏＳパケットの再送発生を未然に抑制することができ、再送処理による高ＱｏＳパケットの到達遅延時間増大を抑制することができる。これにより、無線エラーによる高ＱｏＳパケットの到達遅延時間増大・通信品質劣化を未然に抑制することができ、かつ、低ＱｏＳパケットの伝送レイトを保持することができる。
【００９９】
また今後、ＶｏＩＰ（Voice over Internet Protocol）音声通話を代表とする低遅延要求のサービスとＦＴＰ（File Transfer Protocol）ダウンロードを代表とする高伝送レイト要求のサービスを同時に処理する移動体端末を想定した場合、劣悪な無線伝送路状況における再送発生時の品質保証、つまり高伝送レイトと低遅延の両立を実現することができる。
【０１００】
（実施の形態２）
図９は、本発明の実施の形態２に係るパケット送信装置の構成を示すブロック図である。図１と同一構成部分には同一符号を付して重複箇所の説明を省略する。
【０１０１】
図９において、パケット送信装置８００は、ＲＦ処理部１０１、ベースバンド処理部１０２、再送制御部８０３、再送バッファ部１０４、フレーム解析部１０５、受信バッファ部１０６−１〜１０６−Ｎ、フレーム組立部１０７、適応型スケジューラ部８０８、送信バッファ部１０９−１〜１０９−Ｎ、伝送路判断部８１０、及び複数送信バッファ８１１を備えて構成される。
【０１０２】
ＲＦ処理部１０１は、ディジタル信号から構成される無線フレームをアナログ信号に変換し無線アンテナ１０１ａから無線に送出する、また無線からのアナログ信号をディジタル信号から構成される無線フレームに変換する。これにより、ベースバンド処理部１０２は、復調・復号化処理を施し、対向受信装置からの送信パケット送達確認信号や受信パケットを受け取ることが可能となる。
【０１０３】
ベースバンド処理部１０２（ＰＨＹと略記する）は、ディジタルベースバンド信号に変換された受信信号を入力とし無線チャネル品質を推定し、また送信無線フレームを符号化・変調処理を施し無線に送信する。
【０１０４】
再送制御部８０３（ＨＡＲＱと略記する）は、フレーム組立部１０７からの送信無線フレームもしくは再送要求時には再送バッファ部１０４からの再送無線フレームを送信契機に合わせベースバンド処理部１０２に送出し対向受信機からの送達確認が取れるまで再送バッファ部１０４に保持しておく。
【０１０５】
フレーム解析部１０５は、受信パケットが格納された無線フレームのプロトコルヘッダ情報を解析し受信パケット位置やそのパケットの論理チャネル情報を特定する。
【０１０６】
受信バッファ部１０６−１〜１０６−Ｎは、フレーム解析部１０５で特定された受信パケットを論理チャネル情報と関連付けして管理・蓄積する。
【０１０７】
フレーム組立部１０７は、適応型スケジューラ部８０８で決定された送信フレーム構成要素を基にフレームフォーマットに準じた無線フレームを組み立てる。
【０１０８】
適応型スケジューラ部８０８は、伝送路判断部８１０からの伝送路状況に基づき複数送信優先スケジューリング方法に遷移し複数送信バッファ８１１に送信パケットを退避させるかを決定し、また再送制御部８０３からの送達情報に基づき高ＱｏＳ優先スケジューリング方法に遷移するかを決定し、送信バッファ部１０９−１〜１０９−Ｎから送信フレーム構成要素を決定する。適応型スケジューラ部８０８は、図７の重複送信版の適応型スケジューラ部７００の適用が好ましい。
【０１０９】
送信バッファ部１０９−１〜１０９−Ｎは、サービス品質（ＱｏＳ）と関連付けられた送信パケットを管理・蓄積する。
【０１１０】
伝送路判断部８１０は、ベースバンド処理部１０２からの無線チャネル品質推定結果と再送制御部８０３からの再送回数を基に伝送路状況を判断する。伝送路判断部８１０は、図３の高精度版の伝送路判断部３００、又は図５の高精度版及び再送回数制御付の伝送路判断部５００の適用が好ましい。
【０１１１】
以下、上述のように構成されたパケット送信装置の動作について説明する。
【０１１２】
本実施の形態のパケット送信装置８００は、適応型スケジューラ部８０８、伝送路判断部８１０、及び複数送信バッファ８１１を備えることを特徴とする。基本動作は、図１のパケット送信装置１００と同様である。適応型スケジューラ部８０８が、複数送信バッファ８１１を用いて以下の制御を行う点が異なる。
【０１１３】
適応型スケジューラ部８０８は、伝送路判断部８１０からの伝送路状況に基づき複数送信優先スケジューリング方法に遷移し複数送信バッファ８１１に送信パケットを退避させるかを決定し、また再送制御部８０３からの送達情報に基づき高ＱｏＳ優先スケジューリング方法に遷移するかを決定し、送信バッファ部１０９−１〜１０９−Ｎから送信フレーム構成要素を決定する。
【０１１４】
図１０は、上記パケット送信装置８００適用時のパケット送信遅延時間を説明する図である。図１０中、横軸の番号は、送信元送信機が送信する無線フレームと受信元受信機が受信する無線フレームを示す。
【０１１５】
図１０において、図９の構成の送信元送信機（パケット送信装置８００）からパケットを送信している。
【０１１６】
図１０ａ．に示すように、伝送路判断部８１０が、伝送路状況が劣悪であると判断した場合には、適応型スケジューラ部８０８は、複数送信優先スケジューリング方法にスケジューラアルゴリズムを切り替える。図１０の場合は、伝送路判断部８１０が５番目の無線フレームが無線エラーを起こしそうであると判断した場合、適応型スケジューラ部８０８は、複数送信優先スケジューリング方法にスケジューラアルゴリズムを切り替え、５番目の無線フレームを構成するパケットの最高ＱｏＳより低いＱｏＳパケットで構成される６番目の無線フレームを送信し（図１０ｂ．参照）、５番目以降の無線フレームには高ＱｏＳパケットを重複して搭載する。すなわち、図１０ｃ．に示すように、高ＱｏＳのデータ部のコピーをフレームに含める。無線フレームには複数のパケット（様々なＱｏＳ）が混在することを許容している。このため、複数の中で高いＱｏＳのパケットのみコピーを次の無線フレームにも載せるものである。
【０１１７】
複数モードとは、複数送信優先スケジューリング方法をいう。また、複数モードは、高ＱｏＳパケット重複搭載である。
【０１１８】
実施の形態１では、送信タイミングを任意に遅延させており、本実施の形態では複数モードに切り替えている。この技術的関連性・効果・併用の有無について説明する。
【０１１９】
実施の形態１は、任意遅らせてある程度の遅延でおさまるようにする態様である。本実施の形態は、少しスループットを落としてでもより確実な成功を得る態様である。伝送路推定には、限度があるため推定間違い等もありうる。そのため、本実施の形態では、状況が良くなるまで、同じ高ＱｏＳパケットを送信し続けるということに想到した。これにより、早い段階で高ＱｏＳパケットが届く可能性が期待できる。
【０１２０】
これにより、伝送路判断部の判断が誤っており無線エラーが生じなかった場合には、伝送遅延のみの最短遅延にて送信可能となり、また無線エラーが生じた場合でも、図８同等の遅延時間で送信可能となる。また、無線帯域の有効活用のため、無線フレームは複数パケットの多重やパケット分割によるパケット断片の多重が可能なフレームフォーマットになっていることが一般的であり、図１０の５番目以降の無線フレームには高ＱｏＳパケットのみ重複し、低ＱｏＳパケットは重複させず従来どおりに配置するような多重も可能となる。
【０１２１】
以上の説明は本発明の好適な実施の形態の例証であり、本発明の範囲はこれに限定されることはない。
【０１２２】
また、上記実施の形態では、パケット送信装置及びパケット送信方法という名称を用いたが、これは説明の便宜上であり、パケット通信装置、移動端末、無線通信装置、適応送信方法等の名称を用いてもよいことは勿論である。
【０１２３】
また、上記実施の形態では、ＣＰＵを例に採り説明したが、ハードウェア、ＤＳＰなどでもよい。
【０１２４】
また、上記パケット送信装置を構成する各回路部の種類、数及び接続方法などは前述した実施の形態に限られない。
【０１２５】
また、以上説明したパケット送信方法は、このパケット送信方法を機能させるためのプログラムでも実現される。このプログラムはコンピュータで読み取り可能な記録媒体に格納されている。
【産業上の利用可能性】
【０１２６】
本発明に係るパケット送信装置及びパケット送信方法は、移動体通信用携帯電話のパケット送信処理の一部として用いられ得る。特に欧州中心のＥＤＧＥ方式や国内中心のＨＳＤＰＡ方式、次世代移動体通信の３ＧＬＴＥ方式では、ＶｏＩＰ等の高リアルタイム性を要求される高ＱｏＳサービスの品質向上に貢献できる。
【図面の簡単な説明】
【０１２７】
【図１】本発明の実施の形態１に係るパケット送信装置の構成を示すブロック図
【図２】上記実施の形態１に係るパケット送信装置の伝送路判断部の簡易版の回路構成を示す図
【図３】上記実施の形態１に係るパケット送信装置の伝送路判断部の高精度版の回路構成を示す図
【図４】上記実施の形態１に係るパケット送信装置の伝送路判断部の簡易版及び再送回数制御付の回路構成を示す図
【図５】上記実施の形態１に係るパケット送信装置の伝送路判断部の高精度版及び再送回数制御付の回路構成を示す図
【図６】上記実施の形態１に係るパケット送信装置の適応型スケジューラ部の簡易版の回路構成を示す図
【図７】上記実施の形態１に係るパケット送信装置の適応型スケジューラ部の重複送信版の回路構成を示す図
【図８】上記実施の形態１に係るパケット送信装置適用時のパケット送信遅延時間を説明する図
【図９】本発明の実施の形態２に係るパケット送信装置の構成を示すブロック図
【図１０】上記実施の形態２に係るパケット送信装置適用時のパケット送信遅延時間を説明する図
【図１１】従来のパケット送信装置の構成を示すブロック図
【図１２】従来のパケット送信装置適用時のパケット送信遅延時間を説明する図
【符号の説明】
【０１２８】
１００，８００  パケット送信装置
１０１  ＲＦ処理部
１０１ａ  無線アンテナ
１０２  ベースバンド処理部
１０３，８０３  再送制御部
１０４  再送バッファ部
１０５  フレーム解析部
１０６−１〜１０６−Ｎ  受信バッファ部
１０７  フレーム組立部
１０８，６００，７００，８０８  適応型スケジューラ部
１０９−１〜１０９−Ｎ  送信バッファ部
１１０，２００，３００，４００，５００，８１０  伝送路判断部
２０１，３０１，４０１，５０１  比較器
３０２，４０２，５０２  選択器
５０３  再送回数制御選択器
６０１，７０１  スケジューラ適応器
６０２，７０２  高ＱｏＳパケット優先スケジューラ部
６０３  低ＱｏＳパケット優先スケジューラ部
７０３  連続送信パケット優先スケジューラ部
８１１  複数送信バッファ
【図１】
2010011063.tif 000003
【図２】
2010011063.tif 000004
【図３】
2010011063.tif 000005
【図４】
2010011063.tif 000006
【図５】
2010011063.tif 000007
【図６】
2010011063.tif 000008
【図７】
2010011063.tif 000009
【図８】
2010011063.tif 000010
【図９】
2010011063.tif 000011
【図１０】
2010011063.tif 000012
【図１１】
2010011063.tif 000013
【図１２】
2010011063.tif 000014